(57)【要約】【課題】リアカバーがメス型コネクタハウジングに装着した場合、リアカバー内の電線の固定性を向上させて、電線振動によるメス型コネクタハウジング内の端子接点部の摩耗を防ぐことができるリアカバーを提供する。【解決手段】コネクタハウジング２０に装着されてコネクタハウジング２０から導出される電線Ｗを案内するリアカバー１０において、電線Ｗを収容する電線収容溝１０Ａを設け、電線収容溝１０Ａ内にレール部１０Ｆを複数本電線Ｗの収容方向に沿って形成し、電線出口部１０Ｎでレール部１０Ｆの間隔を幅狭にし、かつリアカバー１０の後端部を細く形成してテープＴＰを巻き易くした。【選択図】図１
2011096568.tif 000002
【特許請求の範囲】
【請求項１】
コネクタハウジングに装着されて前記コネクタハウジングから導出される電線を案内するリアカバーにおいて、前記電線を収容する電線収容溝を設け、前記電線収容溝内にレール部を複数本前記電線の収容方向に沿って形成し電線出口部で前記レール部の間隔を幅狭にし、かつ前記リアカバーの後端部を細く形成してテープを巻き易くしたことを特徴とするリアカバー。
【請求項２】
前記電線収容溝内の電線入口部における両壁面を幅狭に形成したことを特徴とする請求項１記載のリアカバー。
【請求項３】
前記電線収容溝内の前記電線入口部と前記レール部との間に突起物を複数個形成したことを特徴とする請求項１記載のリアカバー。
【請求項４】
前記電線収容溝内の前記電線入口部と前記突起物との間に分岐用突起物を複数個形成したことを特徴とする請求項１又は３記載のリアカバー。
【請求項５】
前記電線収容溝内の両壁面の高さを電線出口側に近づくにつれて低くし、電線出口側での壁面の高さを収容する電線の直径よりも低くしたことを特徴とする請求項１〜４のいずれか１項記載のリアカバー。
【発明の詳細な説明】
【技術分野】
【０００１】
本発明は、コネクタハウジングにリアカバーを取付けて電線をリアカバーに沿って案内させるコネクタに関するもので、特にその電線の振れを防止する機能を有するリアカバーに関する。
【背景技術】
【０００２】
コネクタハウジングの後側（相手方コネクタとの嵌合側の反対側）から導出された電線をリアカバーを形成する基壁の前側に沿わせることで、電線がリアカバーに案内されるようにしたリアカバー付きのコネクタは知られている（特許文献１参照）。
【先行技術文献】
【特許文献】
【０００３】
【特許文献１】特開２００３−４５５５６号公報
【０００４】
〈特許文献１記載のカバー付コネクタの構成〉
特許文献１記載のカバー付コネクタは、片面に粘着剤が塗布されたテープを用いて、リアカバーの基壁とこの基壁の前側に束ねられた複数の電線とをテープの巻付けにより固定し、複数の電線をリアカバーの基壁に固定するものである。
粘着剤が塗布された面側が内側となるように粘着テープで複数の電線とリアカバーの基壁とを巻くことで、複数の電線をリアカバーの基壁の前側に固定するものである。
【発明の概要】
【発明が解決しようとする課題】
【０００５】
〈特許文献１記載のカバー付コネクタの問題点〉
ところが、特許文献１記載のカバー付コネクタにおいては、リアカバーの基壁とこの基壁の前側に束ねられた複数の電線とが粘着テープに巻付けられている場合に、複数の電線がすべて粘着テープにて完全に固定されることが難しいため、粘着テープに接触しない電線は振動で動き易く、振動が長期的に加わると、電線の振動がメス端子の接点部に伝わることにより接点の摩耗が発生する虞があった。
【０００６】
〈本発明の目的〉
本発明は上記欠点を解決するためになされたもので、リアカバー内での電線の固定性の向上を図り、コネクタに振動が加わってもリアカバー内の電線が振動することのないようにし、したがってまた、電線の振動によるコネクタ内の端子接点部の摩耗が生じないようにすることを目的としている。
【課題を解決するための手段】
【０００７】
本発明は上記課題を解決するためになされたもので、本願の第１発明は、コネクタハウジングに装着されて前記コネクタハウジングから導出される電線を案内するリアカバーにおいて、前記電線を収容する電線収容溝を設け、前記電線収容溝内にレール部を複数本前記電線の収容方向に沿って形成し、電線出口部で前記レール部の間隔を幅狭にし、かつ前記リアカバーの後端部を細く形成してテープを巻き易くしたことを特徴としている。
【０００８】
第２発明は、第１発明のリアカバーにおいて、前記電線収容溝内の電線入口部における両壁面を幅狭に形成して、複数の電線が緊密に接して収容されることを特徴としている。
【０００９】
第３発明は、第１発明のリアカバーにおいて、前記電線収容溝内の前記電線入口部と前記レール部との間に突起物を複数個形成したことを特徴としている。
【００１０】
第４発明は、第１又は第３発明のリアカバーにおいて、前記電線収容溝内の前記電線入口部と前記突起物との間に分岐用突起物を複数個形成したことを特徴としている。
【００１１】
第５発明は、第１〜第４発明のリアカバーにおいて、前記電線収容溝内の両壁面の高さを電線出口部に近づくにつれて低くし、電線出口部での壁面の高さを収容する電線の直径よりも低くしたことを特徴としている。
【発明の効果】
【００１２】
第１発明によれば、電線収容溝の壁面とレール部間、およびレール部間同士の間の電線に振動が加わっても動き難くなっており、リアカバー内での電線の固定性が向上し、コネクタに振動が加わっても電線の振動によるコネクタ内の端子接点部の摩耗が生じないようになる。また、リアカバーの後端部を細く形成したので、テープが巻き易くなり、かつ接着力も強くなり、剥離し難くなる。
【００１３】
第２発明によれば、電線収容溝内の電線入口部における両壁面を幅狭に形成したので、電線に振動が加わってもさらに動き難くなってリアカバー内での電線の固定性が向上し、コネクタに振動が加わっても電線の振動によるコネクタ内の端子接点部の摩耗が生じないようになる。
【００１４】
第３発明によれば、電線収容溝内の電線入口部とレール部との間に突起物を複数個形成したので、電線入口部とレール部との間にある電線に振動が加わっても動き難くなってリアカバー内での電線の固定性が向上し、コネクタに振動が加わっても電線の振動によるコネクタ内の端子接点部の摩耗が生じないようになる。
【００１５】
第４発明によれば、電線収容溝内の電線入口部と突起物との間に分岐用突起物を複数個形成したので、電線の収容がし易くなり作業性が向上すると共に、下流の突起物で電線が固定されるので、電線の振動によるコネクタ内の端子接点部の摩耗が生じないようになる。
【００１６】
第５発明によれば、電線収容溝内の両壁面の高さを電線出口部に近づくにつれて低くし、電線出口部での壁面の高さを収容する電線の直径よりも低くしたので、斜面から露出した電線はテープとの接触面が増えるため、ここでテープを巻回すると電線をリアカバーに確実に固定させることが可能となり、リアカバー内での電線の固定性がさらに向上し、電線の振動によるコネクタ内の端子接点部の摩耗が生じないようになる。
【図面の簡単な説明】
【００１７】
【図１】図１は本発明の実施例１に係るリアカバーを説明するための平面図である。
【図２】図２は図１のリアカバーがメス型コネクタハウジングに装着した状態のメス型コネクタ全体の平面図である。
【図３】図３は図１のリアカバーを電線出口部から見た斜視図で、（Ａ）は全体図、（Ｂ）は電線出口部の拡大図である。
【図４】図４はリアカバーの電線出口部の部位を説明する図で、（Ａ）は電線出口部の部位の斜視図、（Ｂ）は電線出口部の部位の側面図、（Ｃ）は太い電線の場合の電線出口部の部位の斜視図である。
【図５】図５は電線出口部で電線Ｗにテーピング処理を施したリアカバー１０を電線出口部から見た斜視図である。
【図６】図６はリアカバーがメス型コネクタハウジングに装着した状態をメス型コネクタハウジング側から見た斜視図である。
【図７】図７は本発明の実施例２に係るリアカバーを説明するための平面図である。
【図８】図８は図７のリアカバーがメス型コネクタハウジングに装着した状態のメス型コネクタ全体の平面図である。
【図９】図９は図７のリアカバーを電線出口部から見た斜視図で、（Ａ）は全体図、（Ｂ）は電線出口部の部分拡大図、（Ｃ）は突起物の更なる拡大図である。
【図１０】図１０は本発明の実施例２に係るリアカバーに電線を収容した状態を説明する図で、（Ａ）は突起物の部位の拡大平面図、（Ｂ）は電線出口部の側面図、（Ｃ）は太い電線の場合の電線出口部の部位の斜視図である。
【図１１】図１１は電線出口部で電線Ｗにテーピング処理を施した実施例２のリアカバーを電線出口部から見た斜視図である。
【図１２】図１２は本発明の実施例３に係るリアカバーを説明するための平面図である。
【図１３】図１３は図１２のリアカバーがメス型コネクタハウジングに装着した状態のメス型コネクタ全体の平面図である。
【図１４】図１４は図１２のリアカバーを電線出口部から見た斜視図で、（Ａ）は全体図、（Ｂ）は電線出口部の部分拡大図、（Ｃ）は突起物の更なる拡大図である。
【図１５】図１５は本発明の実施例３に係るリアカバーに電線を収容した状態を説明する図で、（Ａ）は突起物の部位の拡大平面図、（Ｂ）は電線出口部の側面図、（Ｃ）は太い電線の場合の電線出口部の部位の斜視図である。
【図１６】図１６は電線出口部で電線Ｗにテーピング処理を施した実施例３のリアカバーを電線出口部から見た斜視図である。
【発明を実施するための形態】
【００１８】
以下、電線の固定性の向上により電線振動による端子接点部の摩耗を防ぐ本発明に係る実施例１〜３のリアカバーについて、以下に図面を用いて説明する。
【実施例１】
【００１９】
〈リアカバー１０は装着部と実施例１に係る電線把持部とから成る〉
図１は、本発明の実施例１に係るリアカバー１０を説明するための平面図、図２は図１のリアカバー１０がメス型コネクタハウジング２０に装着した状態のメス型コネクタ全体の平面図である。
図１において、リアカバー１０は、後端部から電線Ｗが導出されている状態のメス型コネクタハウジング２０（図２）と装着するための装着部１０Ｘと、装着されたメス型コネクタハウジング２０から導出される電線Ｗを通過させて把持する電線把持部１０Ｙとを備えている。
《装着部１０Ｘ》
装着部１０Ｘはリアカバー１０の前端側にあってメス型コネクタハウジング２０の後端（電線導出側）を装着する開口１０Ｇを有し、かつその開口１０Ｇの内部にメス型コネクタハウジング２０の係止突起２０Ｋ（図６）と係合する係止溝１０Ｋとを備えている。
この装着部の構造自体は公知なので、説明は省略する。
《電線把持部１０Ｙ》
本発明の実施例１に係るリアカバー１０の特徴は電線把持部１０Ｙにあり、特に電線把持部１０Ｙに次のような電線収容溝１０Ａを形成したことにある。
【００２０】
〈電線把持部１０Ｙの特徴は４つ〉
本発明の実施例１に係る電線把持部１０Ｙは、４つの特徴を備えている。すなわち、電線収容溝１０Ａの（１）レール部、（２）斜面部、（３）上流幅狭部と、（４）電線把持部１０Ｙの先細部である。
これらの特徴により、電線Ｗがリアカバー１０の電線収容溝１０Ａに収容された状態では、リアカバー１０の電線収容溝内面に挟持されることにより、電線Ｗの左右方向への振れが規制されるようになる。以下、これらについて順次述べる。
【００２１】
〈電線収容溝１０Ａの特徴１：レール部１０Ｆ〉
電線収容溝１０Ａは底面１０Ｃと底面１０Ｃの両端から立ち上がる両壁面１０Ｂ、１０Ｂから構成されている。電線収容溝１０Ａは電線出口部に向かうにしたがって両壁面１０Ｂ、１０Ｂが幅狭になっていき、最終的に電線出口部１０Ｎが一番の幅狭となっている。このような電線収容溝１０Ａにおいて、電線収容溝１０Ａの特徴１は、その底面１０Ｃの電線出口部（下流）１０Ｎにレール部１０Ｆを、電線出口部で電線Ｗが１本ギリギリに通過できる幅になるように複数本（図では２本）、電線Ｗの収容方向に沿って形成している点である。
一方、各レール部１０Ｆ自体は電線出口部１０Ｎに向かうにしたがって幅広になっていき、最終的に電線出口部１０Ｎが一番の幅広となっているので、その結果、電線収容溝１０Ａの壁面１０Ｂとレール部１０Ｆの間隔、および２本のレール部１０Ｆの間隔は電線出口部に向かうにしたがって幅狭になっていき、最終的にで電線出口部１０Ｎが一番の幅狭となり、電線Ｗが１本ギリギリに通過できる幅になっている。
【００２２】
〈電線収容溝１０Ａの特徴２：斜面部〉
図３は図１のリアカバー１０を電線出口部から見た斜視図で、（Ａ）は全体図、（Ｂ）は電線出口部の拡大図である。
電線収容溝１０Ａの特徴２は、溝の両壁面の高さを電線出口部に向かうにつれて図３に示すように徐々に低くなるように斜面１０Ｅ（図３（Ｂ））に形成し、電線出口部の丈を最も低くして、かつ、電線収容溝１０Ａを通って電線出口部に位置する電線Ｗの直径の方が電線出口部の丈よりも高くなるようにしている点である。なお、これに合わせて各レール部１０Ｆの高さも電線出口部に向かうにつれて図３に示すように徐々に低くなるように斜面に形成している。
図４はこのような特徴を備えたリアカバー１０の電線出口部の部位を説明する図で、（Ａ）は電線出口部の部位の斜視図、（Ｂ）は電線出口部の部位の側面図、（Ｃ）は太い電線の場合の電線出口部の部位の斜視図である。
図４（Ａ）および（Ｂ）において、電線出口部１０Ｎに位置する電線Ｗは、電線Ｗが電線出口部の丈よりも高くて上部に露出している。したがって、リアカバー１０の斜面１０Ｅから露出した電線Ｗは、テープＴＰとの接触面が増えるので、テープＴＰによる巻回処理がスムーズに捗（はかど）るようになる。
図５は電線出口部で電線Ｗにテーピング処理を施したリアカバー１０を電線出口部から見た斜視図である。電線Ｗはすべてがリアカバー１０の斜面１０Ｅから露出しているので、テープＴＰはすべての電線Ｗと接触しながら巻回されることができる。これによって、すべての電線Ｗをリアカバー１０に確実に固定させることが可能となる。
【００２３】
《太い電線ＷＬの場合》
なお、太い電線ＷＬ（図４（Ｃ））の場合は、上記のように電線収容溝１０Ａの壁面１０Ｂとレール部１０Ｆの面１０Ｇをそれぞれ斜面にして、カバー１０の電線出口部に向かうにつれ電線収容溝１０Ａを狭くしているので、電線の径が太い電線ＷＬは電線出口部１０Ｎまで到達できないが、その場合は図４（Ｃ）のように途中から外に出せば問題ない。この状態で外に出たすべての電線ＷＬはテープＴＰと広い接触範囲で接するので、同じくテープＴＰしっかりで固定されることができる。
【００２４】
〈特徴１と２の効果〉
以上のように形成することで、図２のようにコネクタハウジング２０から導出された図で３本の電線Ｗは、リアカバー１０の電線収容溝１０Ａに設けられたレール部１０Ｆとレール部１０Ｆに対向する壁面１０Ｂ（図１、図３（Ａ））、レール部１０Ｆの対向面１０Ｇ（図３（Ｂ））にて複数の電線Ｗがそれぞれ挟持されることにより、図２のように複数の電線Ｗがそれぞれ個別に左右方向への振れを規制され、電線Ｗの振動がメス端子の接点部に伝わるようなことがなくなる。
電線Ｗはリアカバー１０が装着された際、指で押し込むことにより、簡単にリアカバー１０の電線収容溝１０Ａのレール部１０Ｆ間等に収容され、斜面に形成された電線出口部１０Ｎで電線のすべてがリアカバー１０の斜面１０Ｅから露出しているので、テープＴＰはすべての電線Ｗと接触しながら巻回されることができる。これによって、すべての電線Ｗをリアカバー１０に確実に固定させることが可能となるので、特に、電線Ｗの飛び出しを防ぐカバー等を必要とせず、作業性が向上する。
【００２５】
〈電線収容溝１０Ａの特徴３：上流幅狭部〉
電線収容溝１０Ａの特徴３は、電線入口部（上流側）１０Ｍ（図１）の両壁面１０Ｂの間隔を狭く形成して、複数の電線が密着固定されている点である。
このように形成することで、特徴１と特徴３の合わせ技により、図２のように電線入口部１０Ｍの幅狭の両壁面で強く締めつけられた電線Ｗは、その後互いに広がってもリアカバー１０の電線出口部に向かうにつれて次第に接近し、電線出口部１０Ｎの幅狭の両壁面で再び強く締めつけられるので、電線Ｗは固定性が向上し、第１幅狭部の電線入口部１０Ｍと第２幅狭部の電線出口部１０Ｎとの両端で電線Ｗを固定しているため、電線Ｗが振動を受けても振動がメス端子の接点部に伝わらなくなる。
また、電線収容溝１０Ａの全長に亘って電線Ｗを引張状態で収容する必要がないので、作業性が良くなる。
【００２６】
〈特徴４：リアカバー１０の後端部の先細〉
図５は電線出口部で電線Ｗにテーピング処理を施した状態を電線出口部から見た斜視図である。実施例１の特徴４では、リアカバー１０の後端部１０Ｄ（図１）を上流よりも幅を次第に細く形成して先細にしている点である。
このように形成することで、特徴２と特徴４の合わせ技により、リアカバー１０の後端部１０ＤにテープＴＰを巻き付け易くして作業性の向上を図ることができ、かつ強くテープＴＰの巻回ができるため、テープＴＰの電線Ｗからの剥離を防止することができる。
【００２７】
〈リアカバー１０とメス型コネクタハウジング２０の係合部〉
ここで、リアカバー１０とメス型コネクタハウジング２０の係合部について、図６を用いて説明しておく。図６はリアカバー１０がメス型コネクタハウジング２０に装着完了した状態の斜視図で、図２のリアカバー１０とメス型コネクタハウジング２０の図を裏返しにしてメス型コネクタハウジング２０側から見た図である。また、図中の拡大図Ｓはリアカバー１０の係止溝１０Ｋとメス型コネクタハウジング２０の係止突起２０Ｋとの係合部を説明する図で、リアカバー１０のフードの部位における係合部を通る面で切断した横断面図である。図６の一部断面拡大図Ｓにおいて、リアカバー１０の左右方向両側の所定部位に係止溝１０Ｋが形成されている。また、メス型コネクタハウジング２０の装着時の対向箇所に係止突起２０Ｋが形成されている。リアカバー１０とメス型コネクタハウジング２０とが装着した状態で、リアカバー１０に形成されている係止溝１０Ｋにメス型コネクタハウジング２０の係止突起２０Ｋが係合して、リアカバー１０がメス型コネクタハウジング２０から外れないようになっている。
実施例１におけるリアカバー１０とメス型コネクタハウジング２０の係合関係は、同様に、実施例２におけるリアカバー１０’とメス型コネクタハウジング２０の係合や、実施例３におけるリアカバー１０”とメス型コネクタハウジング２０の係合にも当てはまる。
【００２８】
〈実施例１の長所〉
以上のように、実施例１によれば、電線入口部と電線出口部の２箇所で電線が固定されるので、しかも、斜面に形成された電線出口部で電線のすべてがリアカバーの斜面から露出することでテープはすべての電線と接触しながら巻回されることができ、これによって、すべての電線Ｗをリアカバーに確実に固定させるので、しかもリアカバー１０の後端部１０Ｄ（図１）を上流よりも幅を次第に細く形成して先細にしているため、テープが巻き付け易く強くテープＴＰの巻回ができるので、作業性が向上し、テープの電線からの剥離を防止することができ、電線が少々振動しても両端から先に振動が伝わることがないので端子接点部の磨耗を確実に防ぐことができる。
【実施例２】
【００２９】
〈リアカバー１０’は装着部と実施例２の電線把持部とから成る〉
図７は、本発明の実施例２に係るリアカバー１０’を説明するための平面図、図８は図７のリアカバー１０’がメス型コネクタハウジング２０に装着した状態のメス型コネクタ全体の平面図である。
図７において、実施例２に係るリアカバー１０’は装着部１０Ｘと電線把持部１０Ｙとを備えている。装着部１０Ｘは実施例１で説明したので重複説明は省略し、実施例２に係る特徴部である電線把持部１０Ｙについて説明する。
【００３０】
〈リアカバー１０の電線把持部１０Ｙの特徴〉
本発明の実施例２に係る電線把持部１０Ｙは実施例１の特徴である電線収容溝１０Ａの（１）レール部、（２）斜面部、（３）上流幅狭部と、（４）電線把持部１０Ｙの先細部の特徴を備えた他に、さらに（５）複数の突起物を備えたことが特徴である。
これらの特徴により、同じく、電線Ｗがリアカバー１０’の電線収容溝１０Ａに収容された状態では、リアカバー１０’の電線収容溝内面に挟持されることにより、電線Ｗの左右方向への振れが規制されるようになる。
これらの５つの特徴のうち、特徴（１）〜（４）は実施例１で述べたとおりなので、こでは、（５）の複数の突起物について説明する。
【００３１】
〈電線収容溝１０Ａの特徴：複数の突起物１０Ｊ〉
電線収容溝１０Ａは底面１０Ｃと底面１０Ｃの両端から立ち上がる両壁面１０Ｂから構成されている。電線収容溝１０Ａは電線出口部に向かうにしたがって両壁面１０Ｂ、１０Ｂが幅狭になっていき、最終的にで電線出口部が一番の幅狭となっている。
このような電線収容溝１０Ａの上流側の底面１０Ｃに実施例１（図１）では何も設けなかったが、実施例２により次のような突起物１０Ｊを複数個設けたのが特徴である。
【００３２】
〈突起物１０Ｊの形状〉
図９（Ｃ）に突起物１０Ｊを拡大斜視図で示している。
それによれば、突起物１０Ｊは断面Ｔ字状をした「きのこ」形状をしている。このきのこ形状の突起物１０Ｊを図で底面１０Ｃに２箇所、幅方向（電線の収納方向と直角方向）に間隔をあけてかつ長さ方向（電線の収納方向）に互いにずらして配置している。幅方向
の間隔は突起物１０Ｊのきのこの根元に相当する部分同士の間に電線Ｗが１本収容する間隔である。また、長さ方向の間隔は突起物１０Ｊのきのこの笠に相当する部分同士の間に電線Ｗが入り込む間隔である。両者の間隔がこれより近いと２個の突起物１０Ｊの間に電線Ｗを手で押し込むことができない。
なお、電線収容溝１０Ａの上流側の底面１０Ｃの両側壁面にも突起物１０Ｊのきのこの笠に相当する部分だけを形成しておくと、壁面も突起物１０Ｊと同じような効果を発揮することができる。図９（Ｃ）では突起物１０Ｊ’が  壁面に形成された突起物を表している。
【００３３】
〈突起物１０Ｊの効果〉
このように、２個の突起物１０Ｊを設けることにより、その間に電線Ｗを通すことで、電線Ｗが上下方向へ離脱することをきのこの笠部分が防ぐと共に、電線Ｗの振れをきのこの根元部分が規制することができる。
【００３４】
〈電線収容溝１０Ａの特徴２：斜面部〉
図９は、図７のリアカバーを電線出口部から見た斜視図で、（Ａ）は全体図、（Ｂ）は電線出口部の部分拡大図、（Ｃ）は突起物の更なる拡大図である。
電線収容溝１０Ａの特徴２は、溝の両壁面の高さを電線出口部に向かうにつれて図９に示すように徐々に低くなるように斜面１０Ｅ（図９（Ｂ））に形成し、電線出口部の丈を最も低くして、かつ、電線収容溝１０Ａを通って電線出口部に位置する電線Ｗの直径の方が電線出口部の丈よりも高くなるようにしている点である。なお、これに合わせて各レール部１０Ｆの高さも電線出口部に向かうにつれて図９に示すように徐々に低くなるように斜面に形成している。
図１０はこのような特徴を備えたリアカバー１０’の電線出口部の部位を説明する図で、（Ａ）は電線出口部の部位の斜視図、（Ｂ）は電線出口部の部位の側面図、（Ｃ）は太い電線の場合の電線出口部の部位の斜視図である。
図１０（Ａ）および（Ｂ）において、電線出口部１０Ｎに位置する電線Ｗは、電線Ｗが電線出口部の丈よりも高くて上部に露出している。したがって、リアカバー１０’の斜面１０Ｅから露出した電線Ｗは、テープＴＰとの接触面が増えるので、テープＴＰによる巻回処理がスムーズにいくこととなる。
図１１は電線出口部で電線Ｗにテーピング処理を施したリアカバー１０’を電線出口部から見た斜視図である。電線Ｗはすべてがリアカバー１０’の斜面１０Ｅから露出しているので、テープＴＰはすべての電線Ｗと接触しながら巻回されることができる。これによって、すべての電線Ｗをリアカバー１０’に確実に固定させることが可能となる。
【００３５】
《太い電線ＷＬの場合》
なお、太い電線ＷＬ（図１０（Ｃ））の場合は、上記のように電線収容溝１０Ａの壁面１０Ｂとレール部１０Ｆの面１０Ｇをそれぞれ斜面にして、カバー１０’の電線出口部に向かうにつれ電線収容溝１０Ａを狭くしているので、電線の径が太い電線ＷＬは電線出口部まで到達できないが、その場合は図１０（Ｃ）のように途中から外に出せば問題ない。この状態で外に出たすべての電線ＷＬはテープＴＰと広い接触範囲で接するので、同じくテープＴＰしっかりで固定されることができる。
【００３６】
〈特徴４：リアカバー１０’の後端部の先細〉
図１１は電線出口部で電線Ｗにテーピング処理を施した状態を電線出口部から見た斜視図である。実施例２の特徴４では、リアカバー１０’の後端部１０Ｄ（図７）を上流よりも幅を次第に細く形成して先細にしている点である。
このように形成することで、特徴２と特徴４の合わせ技により、リアカバー１０’の後端部１０ＤにテープＴＰを巻き付け易くして作業性の向上を図ることができ、かつ強くテープＴＰの巻回ができるため、しかもテープＴＰの電線Ｗからの剥離を防止することができる。
【実施例３】
【００３７】
〈リアカバー１０”は装着部と実施例３の電線把持部とから成る〉
図１２は、本発明の実施例３に係るリアカバー１０”を説明するための平面図、図１３は図１２のリアカバー１０”がメス型コネクタハウジング２０に装着した状態のメス型コネクタ全体の平面図である。図１２において、実施例３に係るリアカバー１０”は装着部１０Ｘと電線把持部１０Ｙとを備えている。装着部１０Ｘは実施例１で説明したので重複説明は省略し、実施例３に係る特徴部である電線把持部１０Ｙについて説明する。
【００３８】
〈電線把持部１０Ｙの特徴〉
本発明の実施例３に係る電線把持部１０Ｙは実施例２の特徴である電線収容溝１０Ａの（１）レール部、（２）斜面部、（３）上流幅狭部と、（４）電線把持部１０Ｙの先細部、（５）複数の突起物を備えた特徴のうち（３）上流幅狭部を省略し、代わりに、（５）分岐用突起物１０Ｌを用いて、上流での電線Ｗの収容通路を変更したことが特徴である。
これらの特徴により、電線Ｗがリアカバー１０”の電線収容溝１０Ａに収容された状態で、実施例１および２と同じくリアカバー１０”の電線収容溝内面に挟持されることにより、電線Ｗの左右方向への振れが規制されるようになる。
【００３９】
〈複数の突起物１０Ｊと分岐用突起物１０Ｌ〉
電線収容溝１０Ａは上流側の底面１０Ｃに実施例２のように突起物１０Ｊと１０ｊ’とを同じように設け、さらにこれらの突起物１０Ｊと１０ｊ’の上流に更に分岐用突起物１０Ｌを２個設けて、３本の電線Ｗを上流でそれぞれ分岐用突起物１０Ｌによって図１３のように分離させるようにしたのが特徴である。
【００４０】
〈分岐用突起物１０Ｌの形状〉
図１４（Ｃ）に分岐用突起物１０Ｌを拡大斜視図で示している。
それによれば、分岐用突起物１０Ｌは断面が直角三角形状をしている。この分岐用突起物１０Ｌを２個、突起物１０Ｊと１０ｊ’の上流に、互いに直角三角形の直角を挟む１辺を底面１０Ｃに置き直角を挟む他の１辺を底面１０Ｃに対して垂直にし、かつ互いにその垂直面が対向するように設けている。
そして、２個の分岐用突起物１０Ｌは電線収容溝１０Ａの幅方向（電線の収容方向と直角な方向）に互いに１直線となるように配置されている。
【００４１】
〈分岐用突起物１０Ｌの効果〉
したがって、３本の電線Ｗのうち真ん中の電線Ｗは、対向する２個の分岐用突起物１０Ｌの垂直面の間を通り（図１３）、左右の電線は、対向する２個の分岐用突起物１０Ｌの斜面と電線収容溝１０Ａの壁面の間を通るようになる。したがって、両壁面側に収容される電線が手による押し込みで斜面に沿って進むので作業がし易くなり、作業性が向上する。
【００４２】
〈突起物１０Ｊの形状〉
図１４（Ｃ）に突起物１０Ｊを拡大斜視図で示している。
それによれば、実施例３の突起物１０Ｊは実施例２の断面Ｔ字状の「きのこ」形状とは若干異なり、断面Ｌ字状をしている。したがって、断面Ｌ字状の突起物１０Ｊの根元を挟んで収容される２本の電線Ｗの一方は、断面Ｌ字のカギで上への移動が押さえられるが他方の電線Ｗは上への移動が押さえられない（しかしながら、他のＬ字状突起物１０Ｊのカギによって同じく押さえられる。）。
なお、実施例３による突起物１０Ｊ’は図１４（Ｃ）では 壁面に形成された突起物を表しており、実施例２と同じものである。
【００４３】
〈突起物１０Ｊ、１０ｊ’の効果〉
このように、２個の突起物１０Ｊと２個の突起物１０Ｊ’を設け、各突起物１０Ｊ、１０Ｊ’のＬ字のかぎ部分の下に電線Ｗを通すことで、電線Ｗが上下方向へ離脱することを各突起物１０Ｊ、１０Ｊ’のＬ字のかぎ部分が防ぐと共に、電線Ｗの振れを根元部分が規制することができる。
以上の構造により、電線Ｗはリアカバー１０”の電線収容溝１０Ａに収容・固定され、コネクタに振動が加わった際でも電線Ｗの振れを防止することができ、端子接点部の磨耗を確実に防ぐことができる。また、リアカバー後端部を細く形成することでテープを巻き易くし、作業性を向上できる。
【００４４】
〈電線収容溝１０Ａの特徴２：斜面部〉
図１４は図１２のリアカバー１０”を電線出口部から見た斜視図で、（Ａ）は全体図、（Ｂ）は電線出口部の部分拡大図、（Ｃ）は突起物の更なる拡大図である。
電線収容溝１０Ａの特徴２は、溝の両壁面の高さを電線出口部に向かうにつれて図１４に示すように徐々に低くなるように斜面１０Ｅ（図１４（Ｂ））に形成し、電線出口部の丈を最も低くして、かつ、電線収容溝１０Ａを通って電線出口部に位置する電線Ｗの直径の方が電線出口部の丈よりも高くなるようにしている点である。なお、これに合わせて各レール部１０Ｆの高さも電線出口部に向かうにつれて図１４に示すように徐々に低くなるように斜面に形成している。
図１５はこのような特徴を備えたリアカバー１０”の電線出口部の部位を説明する図で、（Ａ）は電線出口部の部位の斜視図、（Ｂ）は電線出口部の部位の側面図、（Ｃ）は太い電線の場合の電線出口部の部位の斜視図である。
図１５（Ａ）および（Ｂ）において、電線出口部１０Ｎに位置する電線Ｗは、電線Ｗが電線出口部の丈よりも高くて上部に露出している。したがって、リアカバー１０”の斜面１０Ｅから露出した電線Ｗは、テープＴＰとの接触面が増えるので、テープＴＰによる巻回処理がスムーズにいくこととなる。
図１６は電線出口部で電線Ｗにテーピング処理を施したリアカバー１０”を電線出口部から見た斜視図である。電線Ｗはすべてがリアカバー１０”の斜面１０Ｅから露出しているので、テープＴＰはすべての電線Ｗと接触しながら巻回されることができる。これによって、すべての電線Ｗをリアカバー１０”に確実に固定させることが可能となる。
【００４５】
《太い電線ＷＬの場合》
なお、太い電線ＷＬ（図１５（Ｃ））の場合は、上記のように電線収容溝１０Ａの壁面１０Ｂとレール部１０Ｆの面１０Ｇをそれぞれ斜面にして、カバー１０”の電線出口部に向かうにつれ電線収容溝１０Ａを狭くしているので、電線の径が太い電線ＷＬは電線出口部まで到達できないが、その場合は図１５（Ｃ）のように途中から外に出せば問題ない。この状態で外に出たすべての電線ＷＬはテープＴＰと広い接触範囲で接するので、同じくテープＴＰしっかりで固定されることができる。
【００４６】
〈特徴４：リアカバー１０”の後端部の先細〉
図１６は電線出口部で電線Ｗにテーピング処理を施した状態を電線出口部から見た斜視図である。実施例３の特徴４では、リアカバー１０”の後端部１０Ｄ（図１）を上流よりも幅を次第に細く形成して先細にしている点である。
このように形成することで、特徴２と特徴４の合わせ技により、リアカバー１０”の後端部１０ＤにテープＴＰを巻き付け易くして作業性の向上を図ることができ、かつ強くテープＴＰの巻回ができるため、しかもテープＴＰの電線Ｗからの剥離を防止することができる。
【符号の説明】
【００４７】
１０  実施例１のリアカバー
１０’  実施例２のリアカバー
１０”  実施例３のリアカバー
１０Ａ  電線収容溝
１０Ｂ  壁面
１０Ｃ  底面
１０Ｅ  斜面 
１０Ｆ  レール部
１０Ｊ、１０Ｊ’  突起物
１０Ｋ  係止溝
１０Ｌ  分岐用突起物
１０Ｍ  電線入口部 
１０Ｎ  電線出口部 
１０Ｘ  装着部
１０Ｙ  電線把持部
２０  メス型コネクタハウジング
２０Ｋ  係止突起
Ｗ  電線
ＷＬ  太い電線
ＴＰ  テープ
【図１】
2011096568.tif 000003
【図２】
2011096568.tif 000004
【図３】
2011096568.tif 000005
【図４】
2011096568.tif 000006
【図５】
2011096568.tif 000007
【図６】
2011096568.tif 000008
【図７】
2011096568.tif 000009
【図８】
2011096568.tif 000010
【図９】
2011096568.tif 000011
【図１０】
2011096568.tif 000012
【図１１】
2011096568.tif 000013
【図１２】
2011096568.tif 000014
【図１３】
2011096568.tif 000015
【図１４】
2011096568.tif 000016
【図１５】
2011096568.tif 000017
【図１６】
2011096568.tif 000018